(57)【要約】【課題】  足裏には人体の大部分の重要な壺が集まっております。壺を指圧の如く、マッサージする事により身体の健康管理に寄与することが出来ます。これを足踏ボードとして提供する。【解決手段】  足裏面全体と土踏まずの、凸凹形状合わせた長支柱を（４ヶ）、中支柱を（１０ヶ）、短支柱（２０６ヶ）有する全２２０個の加工木片支柱又は合成樹脂片が圧縮押しバネにより垂直に保持され横３０ｃｍ×縦２８ｃｍ×高さ４．２ｃｍの箱状に納めた足踏ボードです。ボード中央部より長支柱、その周辺に中支柱、他全体を短支柱が配列してる。長、中支柱付近は土踏まず部分に合わせた配列です。足を乗せることにより垂直に配列してる、各支柱は圧縮コンルバネの反発力により足裏に指圧の如く刺激を与える。また各支柱と圧縮コイルバネは一体化のため反発力は一定です。このため強弱は体重の掛け加減等により足裏に刺激をあたえるようになっております。【選択図】図１
0003166889.tif 000002
【実用新案登録請求の範囲】
【請求項１】
足裏面全体と土踏まずの、凸凹形状に合わせ、ボード中央部に長支柱を（４ヶ）、その周辺に中支柱を（１０ヶ）、短支柱を（２０６ヶ）有する全２２０個の加工木片支柱又は合成樹脂片が圧縮押しバネにより垂直に保持され、横３０ｃｍ×縦２８ｃｍ×高さ４．２ｃｍの箱状に納め構成された足踏ボード。
【請求項２】
直径６ｍｍの加工木片支柱又は合成樹脂片と圧縮コイル押しバネを組み合わせ一体化させ蜂の巣状のセパレーターと木片支柱又は合成樹脂片を圧縮コイルバネに挿入固定、側面部、底部一体箱に納め上面部蓋をかぶせた構成で木片支柱又は合成樹脂片支柱を垂直押圧印加すると圧縮コイルバネの弾性力によって木片支柱又は合成樹脂片支柱が往復運動するような構造で、この蜂の巣状のセパレーターによって圧縮コイルバネ、木片支柱又は合成樹脂片を垂直およびズレ防止を補うように構成された足踏ボード。
【考案の詳細な説明】
【技術分野】
【０００１】  本考案は、足の裏面に存在する多数の壺を指圧する足踏ボードです。また足以外人体の随所に存在する様々の壺を指圧する事も出来る、足、手、背中等本体を移動させ使用するものである。
【背景技術】
【０００２】  近年、精神的・肉体的疲労の蓄積に伴う腰痛、肩こり、食欲不振など、医者にかかるほどの病気でない、また現代医学では治すのが難しいと言われる病気で悩んでいる中高年層が増え身体の健康に関する医療等の諸問題が多い。
人体の随所に存在する様々の壺を刺激する灸治療・ハリ治療・指圧療法が効果的な治療法として脚光を浴びている。
壺は足の部分と身体の内臓との間にそれぞれ反応しあう点があることから足裏に多く存在しており足療法は中国三千年も前より伝えられてきた東洋医学の秘術でもある。
ゆえに、足裏の壺を刺激するためのマッサージ器具が従来より各種開発され、実用に供されてきた。
例えば、昔より「青竹踏み」として知られる足裏マッサージ器にヒントを得て、より高い指圧効果を得るために、多数の突起物を配置し素足状態等で踏み付け足踏みを行うことで足裏の壺を刺激できるようになっている。
考案のマッサージ器具は、高さ１３〜２３ｍｍ程度の複数の突起物と板状の基盤とかなる足踏ボードであって突起物は木製の足さわりと押しバネの柔軟性を有する材料で足の裏面の形状に合わせて配列され形成されております。また使用場所により突起物を合成樹脂またはゴム製にして耐水をもたせ、基盤と突起物と一体形成された構成となっております。
【考案の概要】
【考案が解決しようとする課題】
【０００３】  上記従来の各マッサージ器具においては以下に記すような様々な問題点があった。【０００４】  多数の突起物を設けた前記「青竹踏み」は非常に簡単な構成であるために安価にて供給可能である反面、使用に際しては単に体重を掛けることで前記突起物で足裏面を圧迫させるため、適度な押圧を壺に即して掛けることができない。【０００５】  前記突起物の大きさは足裏の壺の所在とは無関係に配置してあるのが通常で、一般に突起が強く数秒乗っただけで痛みを伴うことが多い。したがって足裏の各壺に対する適度で丁度よい加減の気持ちの良い指圧力は得られず上記マッサージ器具は、人による指圧のマッサージ効果に比べれば格段に劣ると言わざるを得ない。【０００６】  本考案は、上記事情に鑑なみされたものであり、足裏に存在する多数の壺を利用者の自重によって簡単に且つ効果的に指圧可能とした足踏ボードです。人体随所の壺に利用者自身によって押し当てる事が可能なものを提供する。
【課題を解決するための手段】
【０００７】  本考案は、足裏面の凸凹形状に合わせた曲面を有するとともに２１個列２２０個の孔が垂直に開けられた上面部と、直径６ｍｍ、９．６ｍｍ長さ３０ｍｍ加工木片又は合成樹脂片を前記孔に圧縮コイルバネに挿入取り付け前記上面部をかぶせる。側面部と底部が一体で浅い箱型です。また圧縮コイルバネの横ブレ、絡み防止に蜂の巣状セパレーターを取り付け木片突起物又は合成樹脂突起物を垂直維持させることが出来、支柱の往復上下をスムースにさせる様に構成された足踏ボードを提供できました。
【図面の簡単な説明】
【０００８】
【図１】足踏ボード全体平面図
【図２】足踏ボード図１のＡ−Ａ‘断面詳細図
【図３】図２の木片支柱又は樹脂支柱部分詳細図
【図４】蜂の巣状セパレーター図
【図５】足裏面主な壺図‘
【考案を実施するための形態】
【０００９】  本足踏ボードの大きさは両足がそっくり乗ることが出来る大きさで縦×横＝３０ｃｍ×２８ｃｍ左右の足を各々乗せ体重の寄り具合の加減で各人に合った適度な指圧効果が得られる。また、片足ずつの体重の寄り具合の加減でも依りよい指圧効果が得られる。
【実施例】
【００１０】  本考案に係わる足踏ボードの実施例を図面に基ずいて詳細に説明します。
図１は本考案の請求項１に係わる足踏ボードの実施例の平面図です。
図２は同実施例のＡ−Ａ’断面詳細図です。
図３は木片支柱又は合成樹脂支柱、イ・ロ・ハ・ニ同実施例の部分断面図
図４は本考案に係わる足踏ボード要部、の実施例を示す蜂の巣状セパレータです。
本考案に係わる足踏ボードの特徴とするところは図１、図２に示すように、足裏面の凸凹形状、特に土踏まずの部分に合わせた曲面をイ・ロ・ハ木片支柱又は合成樹脂支柱を有するとともに２１列２２０個の孔Ｄが垂直に開けられた上面部Ｃと、直径６ｍｍ加工木片支柱又は合成樹脂支柱図３−ハと垂直に保持される蜂の巣状セパレータ図４と木片支柱又は合成樹脂支柱を圧縮コイルバネ図３−ホに挿入固定、側面部、底部一体箱（図２底部Ｂ）に納め上面部蓋（図２上部Ｃ）をかぶせた構成で木片支柱又は合成樹脂支柱を垂直押圧印加すると圧縮コンルバネの弾性力によって木片支柱又は合成樹脂支柱が往復運動するような構成になっています。
【符号の説明】  イ  ：木片支柱又は合成樹脂支柱（長）
ロ  ：木片支柱又は合成樹脂支柱（中）
ハ  ：木片支柱又は合成樹脂支柱（短、標準）
ニ  ：木片支柱又は合成樹脂支柱の圧縮コイルバネ取付
ホ  ：圧縮コイルバネ（押しバネ）
Ａ−Ａ‘：足踏ボード本体断面詳細（図２）
底部Ｂ：足踏ボード本体の上部開放箱部
上部Ｃ：足踏ボード本体の上蓋部
孔Ｄ  ：足踏ボード本体の上蓋部に支柱を納める孔
Ｅ    ：蜂の巣状セパレータ（２２０個丸筒付）
Ｆ    ：足踏ボード本体の上蓋部を固定するネジ孔（９か所）
【図１】
0003166889.tif 000003
【図２】
0003166889.tif 000004
【図３】
0003166889.tif 000005
【図４】
0003166889.tif 000006
【図５】
0003166889.tif 000007
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
足裏面全体と土踏まずの、凸凹形状に合わせ、ボード中央部に長支柱を４ヶ、その周辺に中支柱を１０ヶ、短支柱を２０６ヶ有する全２２０個の加工木片支柱又は合成樹脂片が圧縮押しバネにより垂直に保持され、横３０ｃｍ×縦２８ｃｍ×高さ４．２ｃｍの箱状に納め構成された足踏ボード。
【請求項２】
直径６ｍｍの加工木片支柱又は合成樹脂片と圧縮コイル押しバネを組み合わせ一体化させ蜂の巣状のセパレーターと木片支柱又は合成樹脂片を圧縮コイルバネに挿入固定、側面部、底部一体箱に納め上面部蓋をかぶせた構成で木片支柱又は合成樹脂片支柱を垂直押圧印加すると圧縮コイルバネの弾性力によって木片支柱又は合成樹脂片支柱が往復運動するような構造で、この蜂の巣状のセパレーターによって圧縮コイルバネ、木片支柱又は合成樹脂片を垂直およびズレ防止を補うように構成された請求項１記載の足踏ボード。